(57)【要約】  本発明はデータをタコグラフからチップカードへ伝送する方法に関する。チップカード（３）はあらかじめ定められた条件に応じて電動駆動機構（８）によりタコグラフ（１）から外へ移動され、再び内へ引き込まれる。このときタコグラフ（１）のばねコンタクト（５）がチップカード（３）のコンタクト面（５）を摩擦によりクリーニングし、汚れを除去する。電動駆動機構（８）の始動および動作に対する条件は電子制御装置（９）のメモリ（１０）に格納されている。
2009518764.tif 000002
【特許請求の範囲】
【請求項１】
チップカードを挿入口へ挿入した後、挿入されたチップカードとタコグラフとのあいだの通信を形成し、続いてデータをチップカードへ伝送する、
タコグラフの駆動方法において、
データ伝送を監視して、データ伝送においてエラーが確認された場合にはチップカードを挿入口から僅かな距離だけ外へ移動させ、その後再び引き込み、
続いて挿入されたチップカードとタコグラフとのあいだの通信をあらためて形成する
ことを特徴とするタコグラフの駆動方法。
【請求項２】
チップカードを挿入口から外へ移動させて再び挿入口へ引き込む運動を２回直接に続けて行う、請求項１記載の方法。
【請求項３】
チップカードが挿入口に挿入されてから所定の時間が経過した場合、チップカードとタコグラフとのあいだの通信が形成される前に、チップカードを挿入口から僅かな距離だけ外へ移動させ、その後再び引き込む、請求項１または２記載の方法。
【請求項４】
チップカードとタコグラフとのあいだの通信の形成の試行および続くチップカードの運動を所定回数だけ行った後、チップカードを挿入口から排出する、請求項１から３までのいずれか１項記載の方法。
【請求項５】
チップカードとタコグラフとのあいだの通信の形成の試行および続くチップカードの運動の回数は２回である、請求項４記載の方法。
【請求項６】
請求項１から５までのいずれか１項記載の方法を実行するために、データの収集および評価を行う電子回路と、チップカードを収容する挿入口と、前記チップカードのコンタクト面と前記電子回路とを接触させるばねコンタクトと有する
タコグラフにおいて、
挿入口（２）はチップカードに対する電動駆動機構（８）および当該の電動駆動機構に対する制御装置（９）を有しており、
当該の制御装置（９）はチップカードの運動の条件および回数を記憶したメモリ（１０）を有している
ことを特徴とするタコグラフ。
【発明の詳細な説明】
【技術分野】
【０００１】
本発明は、チップカードを挿入口へ挿入した後、挿入されているチップカードとタコグラフとのあいだの通信を形成し、続いてデータをチップカードへ伝送するタコグラフの駆動方法に関する。本発明はさらに、当該の方法を実行するために、データの収集および評価を行う電子回路とチップカードを収容する挿入口とチップカードのコンタクト面および電子回路を接触させるばねコンタクトと有するタコグラフに関する。
【０００２】
自動車、特に商用自動車用のタコグラフにより、走行距離および自動車のドライバーに関するデータを取得して評価することが知られている。その際にはタコグラフ内で形成されたドライバーごとのデータを記憶するためにチップカードが用いられる。当該のチップカードはチップを有しており、このチップはコンタクト面を介して挿入口内に設けられているばねコンタクトに接触する。チップカードへのデータ伝送においては、当該のばねコンタクトまたは当該のコンタクト面が汚れたり腐食したりするという問題が発生することがある。この場合にはデータをタコグラフからチップカードへ移し替えることができなくなり、最悪のケースでは大量のデータが失われてしまう。また、長期間にわたってチップカードを挿入口へ入れたままにしておくと、ばねコンタクトとコンタクト面との接続が温度影響や湿度影響によって損なわれることがある。
【０００３】
したがって、本発明の基礎とする課題は、冒頭に言及した形式の方法を提供し、タコグラフとチップカードとのあいだの確実な通信を可能にすることである。また、本発明は冒頭に言及した形式の方法を実行するタコグラフにも関する。
【０００４】
こうした課題は、本発明にしたがい、データ伝送を監視して、データ伝送にエラーが確認された場合にはチップカードを挿入口から僅かな距離だけ（ein Stueck weit）外へ運動させ、その後再び引き込み、続いて挿入されたチップカードとタコグラフとのあいだの通信をあらためて形成することにより解決される。
【０００５】
こうした構成により、タコグラフのばねコンタクトがコンタクト面を摩擦によりクリーニングし、チップカード上の汚れが除去される。データ伝送が監視されるので、エラーが生じた場合にはただちに検出され、もういちどデータ伝送が行われることにより、当該のエラーは補償される。データ伝送の監視は、有利には、タコグラフ内に存在していた伝送データを伝送の直後に再び読み出し、タコグラフ内に存在しているデータと比較することによって行われる。本発明の方法によれば、タコグラフにおいて、データが確実にチップカードへ伝送され、データ伝送においてエラーが起こった場合に独立してエラー源が除去されることが保証される。
【０００６】
チップカードの汚れがひどい場合には、本発明の方法にしたがい、チップカードを挿入口から外へ移動させ再び引き込む運動を２回直接に連続して行うことにより、特に迅速なデータ伝送が可能となる。チップカードのコンタクト面のクリーニングに対して１回の運動では充分でない場合、１回目の運動の後に通信形成の試行を行うよりも、本発明の方法にしたがって２回の運動を行ったほうが迅速である。
【０００７】
データは所定の間隔で、例えば１２ｈごとに、タコグラフからチップカードへ移し替えられる。当該の間隔のあいだに発生するばねコンタクトまたはコンタクト面の汚れは、本発明の有利な実施形態により容易に除去される。すなわち、チップカードが挿入口に挿入されて所定の時間が経過してから、チップカードとタコグラフとのあいだの通信が形成される前に、チップカードを挿入口から僅かな距離だけ外へ移動させその後再び引き込むことによってクリーニングを行う。
【０００８】
通信を確立できないチップカードの運動の反復は本発明の有利な実施形態により簡単に回避することができる。これは、チップカードとタコグラフとのあいだの通信の形成の試行および続くチップカードの運動が所定回数に達した場合、チップカードを挿入口から排出することにより行われる。
【０００９】
本発明の方法によれば、チップカードとタコグラフとのあいだの通信の形成の試行および続くチップカードの運動の回数を２回とすれば、チップカードの一般的な汚れのクリーニングは充分に達成される。
【００１０】
本発明はさらに、データの収集および評価を行う電子回路とチップカードを収容する挿入口とチップカードのコンタクト面を電子回路に接触させるばねコンタクトと有するタコグラフに関しており、挿入口はチップカードに対する電動駆動機構および当該の電動駆動機構に対する制御装置を有しており、当該の制御装置はチップカードの運動の条件および回数を記憶したメモリを有している構成を特徴とする。
【００１１】
本発明では、タコグラフはチップカードの外へ向かっての移動および内への引き込みを行うための全ての部品を有する。当該の運動は制御装置によって制御される。メモリには運動のプロセス条件および回数が格納されている。これによりタコグラフを特に簡単に製造することができ、データ伝送が確実化される。
【００１２】
本発明は多数の実施例として実現可能であるが、以下に本発明の基本となるコンセプトを図示の実施例に則して詳細に説明する。図１にはチップカードを有するタコグラフの概略図が示されている。図２にはチップカードへのデータ伝送方法のフローチャートが示されている。
【００１３】
図１にはチップカード３を収容する挿入口２を備えたタコグラフ１の概略図が示されている。チップカード３はコンタクト面５を備えたチップ４を有している。当該のコンタクト面５に対してタコグラフの複数のばねコンタクト６があらかじめ張力をかけられた状態で設けられている。ただし、図を見取りやすくするために、ばねコンタクト６は１つしか示されていない。ばねコンタクト６はデータの収集および評価のための電子回路７に接続されている。チップカード３は電動駆動機構８により挿入口２内へ引き込むことも、そこから外へ移動させることもできる。図１に一点鎖線で示されているように、チップカード３は僅かな距離だけ挿入口２から外へ移動させることができる。電動駆動機構８は制御装置９により駆動制御される。制御装置９は電動駆動機構８によるチップカードの運動の条件および回数を格納したメモリ１０を有する。
【００１４】
図２には、図１のタコグラフ１からチップカード３へデータを伝送する方法のフローチャートが示されている。本発明の方法はチップカード３がタコグラフ１の挿入口２へ挿入され、データをチップカード３へ伝送するための条件が発生したときに開始される。同時にカウンタがゼロへセットされる。条件の発生は例えば所定の間隔で調整可能であり、例えば１日ごとの定められた時刻にデータがタコグラフ１からチップカード３へ移し替えられる。チップカード３が設定時間、例えば８ｈより長くタコグラフ１内に収容されている場合、チップカード３は電動駆動機構８により駆動されて、僅かな距離だけ挿入口２から外へ移動され、その後再び引き込まれる。こうしてばねコンタクト６がチップカード３のコンタクト面３の上部を摩擦によりクリーニングし、汚れを除去する。続いて、またはチップカード３が挿入口２へ挿入されたとき、電子回路７とチップカード３のチップ４との通信が形成され、データが伝送される。次に、データが再び読み出され、伝送すべきデータと比較される。こうして伝送エラーの検出が行われる。伝送エラーが確認されなければ本発明の方法は終了する。伝送エラーが確認された場合には、カウンタの値が１つインクリメントされる。カウンタの値が２以下であれば、チップカード３の外への移動および再引き込みの運動が２回行われる。続いて新たに通信が形成され、データ伝送が新たに開始される。カウンタが２より大きい場合には、既にチップカード３の運動によるコンタクト面のクリーニングする試みが２回行われたことになる。この場合にはチップカード３はエラーメッセージの送出とともに排出される。
【図面の簡単な説明】
【００１５】
【図１】チップカードを有するタコグラフの概略図である。
【図２】チップカードへのデータ伝送方法のフローチャートである。
【図１】
2009518764.tif 000003
【図２】
2009518764.tif 000004
【国際調査報告】
2009518764.tif 000005
2009518764.tif 000006
2009518764.tif 000007
2009518764.tif 000008